(57)【要約】【課題】デッキ材を金属製の根太材に連結する際に、予め根太材の表面に、ネジを所定の位置へ正しく挿通できるようなガイド孔を設ける時間を必要とせずに、ネジを迅速、安全、確実に挿着できるようにした板材と金属製フレームとの連結構造の提供する。【解決手段】デッキ材１と、このデッキ材を固定する根太材５とからなり、前記根太材５の一つの側面に、止めネジ９の先端を止め位置の凹溝１０内へ安定よく挿通して仮保持するための、根太材５の長さ方向に沿った複数枚の平行な縦リブ８を有し、止めネジ９の下端部分を一対の縦リブ８の間に挟着して、止めネジ９を根太材５に仮固定させる。【選択図】図１
2008255601.tif 000002
【特許請求の範囲】
【請求項１】
床板もしくは壁板を構成する板材と、これらの板材を固定保持する根太材もしくは柱材を構成する金属製のフレームとからなり、
前記フレームが、少なくとも一つの側面に、止めネジの先端を止め位置の凹溝内へ安定よく挿通するための、フレームの長さ方向に沿った複数枚の平行な縦リブを備えている板材と金属製フレームとの連結構造。
【請求項２】
縦リブの間に形成される凹溝は、止めネジの先端と向かい合う底面中央部の肉厚が、縦リブ根本部直下の板厚よりも薄い谷形となっている請求項１の板材と金属製フレームとの連結構造。
【請求項３】
各縦リブの側面に、縦リブ間に挿入されるネジの保持状態を安定にするための係止突子が設けられている請求項１の板材と金属製フレームとの連結構造。
【請求項４】
板材が床板であり、フレームが根太材である床面構造体に用いられる請求項１の板材と金属製フレームとの連結構造。
【請求項５】
板材が床面を構成するデッキ材と、フレームが前記デッキ材を支持する根太材とから構成され、デッキ材を根太材に連結するための手段が、隣接するデッキ材の接続側面間に挟着されるネジホルダーと、このネジホルダーを平行な縦リブが設けられた根太材の縦リブ間を通して縦リブ突出側面へ螺着する止めネジとにより構成されている請求項１、２、３、４のいずれかの板材と金属製フレームとの連結構造。
【請求項６】
ネジホルダーが、両デッキ材の側面間に挟着される壁板と、この壁板の中央部に設けられた止めネジ挿通用の縦孔と、両側に両デッキ材の係止凹溝内へ挿入される連結板とを備えている請求項５の板材と金属製フレームとの連結構造。
【請求項７】
板材が壁板であり、フレームが柱材である壁面構造体に用いられる請求項１の
板材と金属製フレームとの連結構造。
【発明の詳細な説明】
【技術分野】
【０００１】
本発明は、建築物におけるテラスなどの床面上に平行に配列されるデッキ材、あるいは柱材等に取付けられる壁材などの取付け工事に際し、デッキ材や壁板などの取付け作業を能率よく、かつ正確に仕上げられるようにした、板材と金属製フレームとの連結構造の改良に関するものである。
【背景技術】
【０００２】
従来より、テラスなどの床面上にデッキ材を配列固定するような工事においては、例えば、図１９に示すように、合成樹脂製のデッキ材Ａをアルミなどの金属製根太材Ｂ上に配列し、止め具もしくはネジＣなどによりデッキ材Ａと根太材Ｂとを一体に連結する構造が広く行われている。
【０００３】
【特許文献１】実開平３−８２７５５号
【発明の開示】
【発明が解決しようとする課題】
【０００４】
上記の連結構造においては、デッキ材Ａの上面からネジＣをドリルにより押し込んで、ネジＣの下端を根太材Ｂの上面Ｄの内側までねじ込むことで、デッキ材Ａと根太材Ｂとを連結固定するが、ネジＣは合成樹脂製のデッキ材Ａに対しては問題なく押し込むことができても、金属製の根太材Ｂの表面に貫通させてネジＣとデッキ材Ｂとを一体に螺着させる工程では、ネジＣの先端が根太材表面上で滑って、孔を適正な位置に開設できなかったり、ネジＣが折れたりすることがあり、労力と神経を使うという問題点を有していた。
【０００５】
また、作業者がネジＣをデッキ材Ａの表面にねじ込む際には、右手で支持するドリルにより、ネジＣがある程度の深さに達する位置まで、左手でネジＣを支えていなければならないので、指先が高速回転するネジＣと接触することで、安全性に十分注意しないと危険が伴うという問題があった。
【０００６】
そのため、このような危険性を解消するために、ネジＣによりデッキ材Ａを根太材Ｂに連結固定する前に、図１９ａのように、予めデッキ材Ａの取付け面Ｄに根太材Ｂの直径よりも小さい内径のガイド孔Ｅを設けておき、デッキ材Ａを根太材Ｂに連結固定する際には、ネジＣの下端尖状部を前記ガイド孔Ｅ内に差し込んだ状態で、ガイド孔Ｅの内周を回転切削することで、簡単にネジＣへ螺着できるようにした工程が加えられていた。
【０００７】
しかし、このように、デッキ材Ａの取付け面Ｄに予めガイド孔Ｅを設けておくことは、デッキ材Ａを根太材Ｂに取付ける前の段階で、多数の孔を設けるための作業時間を必要とし、作業能率の面から見て改善されるべき点があった。
【課題を解決するための手段】
【０００８】
本発明は、従来におけるこの種の問題点を解消するために、床板もしくは壁板を構成する板材を、根太材もしくは柱材を構成する金属製フレームに連結固定する際に、前もって金属製フレームに、ネジを所定の位置へ正しく挿通できるようにガイドするための孔を設ける時間を必要とせずに、ネジを簡単、迅速、安全、かつ、確実に挿着できるようにした板材と金属製フレームとの連結構造の提供を目的としたものである。
【０００９】
本発明に係る板材と金属製フレームとの連結構造は、そのための具体的手段として、床板もしくは壁板を構成する板材と、これらの板材を固定保持する根太材もしくは柱材を構成する金属製のフレームとからなり、前記フレームが、少なくとも一つの側面に、止めネジの先端を止め位置の凹溝内へ安定よく挿通して仮保持するための、フレームの長さ方向に沿った複数枚の平行な縦リブを備えていることを特徴とする。
【００１０】
縦リブの間に形成される凹溝は、止めネジの先端と向かい合う底面中央部の肉厚が、縦リブ根本部直下の板厚よりも薄い谷形となっていることが好ましい。
【００１１】
それぞれの縦リブの側面には、いずれか一対の縦リブ間に挿入されるネジの保持状態を安定にするための係止突子が、縦リブの長さ方向に沿って設けられていることが好ましい。
【００１２】
本発明は、板材と、この板材を支持するためのフレームとから構成されるが、主な用途としては、板材がデッキ材などの床板として使用され、フレームが根太材として使用される床面構造体に用いることが好ましい。
【００１３】
本発明が、板材をデッキ材などの床板として使用し、フレームを根太材として使用する床面構造体に用いられる場合、根太材上に平行に配置されるデッキ材の連結手段としては、隣接するデッキ材をそれぞれの接続側面間で固定するネジホルダーと、このネジホルダーを、平行な縦リブを備えた根太材へ螺着するための止めネジとにより構成されることが好ましい。
【００１４】
上記ネジホルダーの具体的構成としては、両デッキ材の側面間に挟着される壁板と、この壁板の中央部に設けられた止めネジ挿通用の縦孔と、両側に両デッキ材の係止凹溝内へ挿入される連結板とを備えていることが好ましい。
【００１５】
本発明の連結構造は、また、板材を床板として使用し、フレームを根太材として使用する以外の別の用途として、板材を壁板として使用し、フレームを柱材として使用される壁面構造体に用いることもできる。
【００１６】
更に、別の用途としては、板材を天井板として使用し、フレームを根太材として使用する天井構造体に用いることもできる。
【発明の効果】
【００１７】
本発明の板材と金属製フレームとの連結構造は、例えば、根太材を構成する金属製フレームの一つの側面に、止めネジの下端部を止め位置の凹溝内へ安定よくガイドするための複数枚の平行な縦リブを備えているので、デッキ材のような板材内を貫通してデッキ材の裏面側へ突出させた止めネジの下端尖状部を、縦リブの間の凹溝内へ全く力を必要とせずに挿入することができ、この状態からネジを軽く押し込んでやると、止めネジが縦リブと縦リブとの間に挟着されるので、止めネジを指先で支えていなくても直立状態に仮保持することができる。もしも、根太材に本発明のような縦リブによる凹溝がない場合には、予め根太材の金属板にドリルでガイド穴を設けなければならないが、本発明では止めネジの下端を縦リブの凹溝内へ挿入する作業に際して根太材にドリルでガイド穴を設ける必要がないので、止めネジを根太材に仮固定する作業が大幅に改善される。
【００１８】
また、本発明の板材とフレームとの連結構造は、根太材の一つの側面に設けられる縦リブと縦リブの間の凹溝の底面を、止めネジの先端と接触する底面の肉厚が、それぞれの縦リブの根本部の肉厚よりも薄くなるような谷形としたので、縦リブの間の凹溝内に挿着された止めネジに、ドリルによる差し込み回転が与えられると、最初に凹溝内における肉厚の薄い底面部分が軽い力で穿孔され、次いで二枚の縦リブの長さ方向に沿った肉厚の大きい根本部分が切削されるので、この肉厚の大きい根本部分の穿孔も比較的軽い力で行うことができ、穿孔作業を従来に比較して楽に行うことができる。
【００１９】
また、上記のように止めネジの下端が縦リブの底面下方へ貫通された後は、止めネジの螺子が肉厚の大きい根本部分の内側に係合して、比較的大きな摩擦力により大きな引き抜き強度を得ることができる。その結果、この連結構造によれば、止めネジを根太材に対して貫通しやすく、しかも、貫通後は大きな引き抜き強度を得ることができる。
【発明を実施するための最良の形態】
【００２０】
本発明は、基本的には、建築物を構成する板材と、この板材を支持するためのフレームとから構成されるが、主な用途としては、板材がデッキ材１などの床板として使用され、フレームが前記床板を支持するための根太材５として使用される床面構造体に用いることが好ましい。
【００２１】
図１は、本発明に係る床面構造体の最も好ましい実施例の形態を示した断面図であり、デッキ材１は、合成樹脂を素材として成形され、図１４乃至図１６に示すように、側面２の内側に鉤形係止部３を備えた係止凹溝４が開設されているような形状のものが用いられる。
【００２２】
また、根太材５としては、図２に示すようにアルミ製の型材が用いられるが、この根太材５は、外周面としての床板支持面６と、この床板支持面６よりも高さが低い位置に設けられた止め具支持面７とを有していて、この止め具支持面７の少なくとも一つの支持面７に、複数枚の縦リブ８が根太材５の長さ方向に沿って平行に設けられている。
【００２３】
上記それぞれの縦リブ８は、上端が根太材５の床板支持面６と同じ高さに位置するように止め具支持面７から上方へ突出しており、それぞれの縦リブ８の間の凹溝１０の幅Ｗが、デッキ材１を根太材５に固定するための止めネジ９の外径と同じか若干短くなっていて、止めネジ９の下端の尖状部１７は凹溝１０内へ楽に挿入できるような間隔に設定されている。なお、各縦リブ８の上部両側面には、それぞれの縦リブ８の間の凹溝１０内に止めネジ９が挿通された際に、止めネジ９に引き抜き抵抗を与えるための係止突子２５が設けられている
【００２４】
また、これらの凹溝１０の下端部は、止めネジ９の下端尖状部１８と向かい合う底面１１の中央部の板厚Ｄが、縦リブ８の根本部８ａの直下の板厚Ｅよりも薄くなった谷形の形状となっている。
【００２５】
図２に示すように、止めネジ９をデッキ材１に貫通すると、止めネジ９の下端尖状部１８は縦リブ８と縦リブ８との間の凹溝１０内へ自動的に案内されて、尖状部１８の上方部分のネジ部分が縦リブ８の間に挟着され、デッキ材１と根太材５とが止めネジ９を介して仮保持される。
【００２６】
この状態で止めネジ９にドリルによる差し込み回転力が与えられると、最初に凹溝内における肉厚Ｄの薄い底面１１部分が軽い力で穿孔され、引き続いて縦リブ８の長さ方向に沿った肉厚Ｅの大きい根本部分が切削されるので、この肉厚Ｅの大きい根本部分の穿孔も比較的軽い力で行うことができ、穿孔作業を従来に比較して楽に行える。
【００２７】
図４ａのように、止めネジ９をデッキ材１に貫通する際に、止めネジ９の下端尖状部１８が縦リブ８と縦リブ８との間の正しい位置に案内されずに、少しズレていたとしても、止めネジ９を強く押し込むと、縦リブ８が傾きながらも底面１１が貫通して適正な固定状態を得ることができる。
【００２８】
図５乃至図１３は、デッキ材１を前記止めネジ９を介して根太材５に連結するための手段として、ネジホルダー１２を使用した実施例の構造を示している。このネジホルダー１２は、図１６、図１７に示すように、先に取付けられるデッキ材１ａと、後から取付けられるデッキ材１ｂの側面２、２の間に挟着される肉厚を有する壁板１３を備えており、図９に示すように、この壁板１３の中央部肉厚内に上縁から下縁にかけて、止めネジ９のネジ溝１４を遊挿し得る内径の縦孔１５が設けられている。
【００２９】
なお、図９に示したように、縦孔１５の上端内周面には、止めネジ９におけるネジ溝１４の上部に係合して、止めネジ９を縦孔１５内の所定の高さ位置に仮保持しておくための突起１６が設けられている。
【００３０】
前記止めネジ９は、壁板１３の縦孔１５の長さとほぼ等しい長さのネジ溝１４と、このネジ溝１４の上部に該ネジ溝１４の長さとほぼ等しい程度の長さのあるネジ溝を備えていない保持部１７を有し、ネジ溝１４の下端には、前記根太材５における縦リブ８の凹溝１０内へ挿入される尖状部１８が設けられている。ネジ溝９の上部に長さの大きい保持部１７を設けることは、止めネジ９を指先で安定よく保持して根太材５の縦リブ８内へ導入する作業に適している。
【００３１】
ネジホルダー１２形成する壁板１３の前後両面における中央部の高さ位置には、壁板１３の長さ方向に沿ってそれぞれ前後方向へ水平に突出し、根太材５上へ先に配置されたデッキ材１ａの係止凹溝４内に挿着される第１連結板１９と、後から配置されるデッキ材１ｂの係止凹溝４内に挿着される第２連結板２０とが設けられている。
【００３２】
この連結板１９，２０の前縁には、デッキ材１の鉤形係止部３と係合するフック２１が設けられており、これらのフック２１は、先に配置されるデッキ材１ａの鉤形係止部３に係止される第１連結板１９の前縁では、上方フック２１ａと下方フック２１ｂとを有しており、後から配置されるデッキ材１ｂの鉤形係止部３に係止される第２連結板２０の前縁では、下方フック２１ｃが設けられている。
【００３３】
一方、第１連結板１９及び第２連結板２０の板面の両側部分には、これらの連結板を前記係止凹溝４内へ浮くように支持するための複数個の板バネからなる弾性片２２が設けられている。これらの弾性片２２は、図６に示したように、連結板１９，２０におけるフック２１寄りの一辺を残して、この一辺を囲む三辺を切り離すことで窓孔２３を形成し、この窓孔２３におけるフック２１寄りの一辺、を接続辺２４として、窓孔２３の上方へ向けて突出するように折曲げることで形成されている。
【００３４】
これらの板バネからなる弾性片２２は、図１４に示すように、ネジホルダー１２が上方からの力を受けないときには、先端が窓孔２３の開設された連結板１９，２０の表面よりも下方へ突出し、上方からの力を受けると、弾性片２２が連結板１９，２０の表面よりも下方の窓孔２３内へ押し込められるように湾曲して、連結板１９，２０と係止凹溝４との係合状態を確実にする。
【００３５】
ネジホルダー１２に取付けた止めネジ９により、デッキ材１を根太材５に固定する際には、図１４に示すように、まず、根太材５上に適宜の手段により最初のデッキ材１ａを固定したのち、このデッキ材１ａの側面にネジホルダー１２を当接して、第１連結板１９の前縁をデッキ材１ａの係止凹溝４内へ差し込む。
【００３６】
その際、図９に示すように、ネジホルダー１２における縦孔１５の上端内周面に設けた突起１６を、縦孔１５内に挿通された止めネジ９のネジ溝１４上端部に係止しておくと、止めネジ９の保持部１７がネジホルダー１２の上方へ突出した形状保持するので、作業者が保持部１７を保持しながら、ネジホルダー１２をデッキ材１ａの側面に取付ける作業を容易に行うことができる。
【００３７】
上記のように、止めネジ９を、保持部１７が上方へ突出するような形状でネジホルダー１２の上方へ突出保持させると、止めネジ９の下端の尖状部１８が縦孔１５の下端より下方へ突出するが、本発明の根太材５は、複数枚の縦リブ８が凹溝１０を有するように設けられているので、止めネジ９の下端の尖状部１８を、なんの抵抗を受けることなく凹溝１０内へ挿入することができる。
【００３８】
次に、図１６に示すように、根太材５の上にデッキ材１ｂを配置して、先に配置されたデッキ材１ａに取付けられたネジホルダー１２の第２連結板２０前縁を、デッキ材１ｂの係止凹溝４内へ差し込むことで、デッキ材１ａと１ｂとの間にネジホルダー１２を挟着し、止めネジ９の保持部１７をカナヅチで軽く叩いて、下端の尖状部１８を凹溝１０における底面１１の中央部に貫通させ、止めネジ９の下端部を縦リブ８による凹溝１０内へ仮固定する。
【００３９】
図１８は、本発明の連結構造を、壁面構造体に適用した別の実施例であり、この場合では、板材が壁板３１として使用され、フレームが柱材５１として使用される。柱材５１は、側面に複数枚の縦リブ８が間隔をおいて平行に配置されて、それぞれの縦リブ８の間に凹溝１０が設けられる点は、前記の床面構造体の場合と同じである。
【００４０】
上記実施例の場合では、壁板３１に予め止めネジ３９を遊挿し得る貫通孔３２が設けられていて、壁板３１の取付けに際しては、貫通孔３２に止めネジ３９を通して、ネジの先端を柱材５１の凹溝１０内へ挿入して、カナヅチで軽く押し込むと、止めネジ３９が凹溝１０の内壁面に挟着されるように仮保持される。
【００４１】
このようにしてそれぞれの壁板３１を仮保持して、所定枚数の壁板３１の取付け状態を調整した後、それぞれの止めネジ３９をドリルにより回転して、縦リブ８の底面４１へ貫通してさせる。
【００４２】
この構造によれば、止めネジ３９を縦リブ８による凹溝１０の内壁面に挟着支持できるので、壁板３１の取付け状態を調整し終えるまでの仮保持操作を簡便に行うことができる。
【産業上の利用可能性】
【００４３】
この連結構造では、根太材のようフレームとしてアルミのような金属製のものを使用した場合に、止めネジをガイドするためのガイド孔を予め設けておく必要がないので、作業能率を向上することができる。
【図面の簡単な説明】
【００４４】
【図１】本発明の基本となる実施例の構造を示す斜視図。
【図２】本発明の連結構造に使用されるフレームの断面図。
【図３】板材が根太材に止めネジにより固定された状態を示す断面図。
【図４】止めネジが根太材にズレて挿入された状態の動きを示す断面図。
【図５】別の実施例における連結構造の一態様を示す部分斜視図。
【図６】止めネジとネジホルダーの形状を示す斜視図。
【図７】ネジホルダーの形状を下方から見た斜視図。
【図８】ネジホルダーとデッキ材との関係を示す斜視図。
【図９】止めネジとネジホルダーとの関係を示す断面図。の形状補側面を
【図１０】ネジホルダーの側面図。
【図１１】ネジホルダーの中央部分における断面図。
【図１２】ネジホルダーの窓孔部分における断面図。
【図１３】ネジホルダーにおける壁板の長さ方向に沿った断面図。
【図１４】ネジホルダーを一方のデッキ材に取付ける際の断面図。
【図１５】ネジホルダーを一方のデッキ材に仮付けした状態の断面図。
【図１６】ネジホルダーに他方のデッキ材を取付ける際の断面図。
【図１７】ネジホルダーが両側のデッキ材の間に挟着された状態の断面図。
【図１８】別の実施例の構造を示す斜視図。
【図１９】従来のデッキ材取付け手段の構造と工程を示す断面図。
【符号の説明】
【００４５】
１：デッキ材、
２：デッキ材側面、
３：鉤形係止部、
４：係止凹溝、
５：根太材、
６：床板支持面、
７：止め具支持面、
８：縦リブ、
９：止めネジ、
１０：凹溝、
１１：底面、
１２：ネジホルダー、
１３：壁板、
１４：ネジ溝、
１５：縦孔、
１６：突起、
１７：保持部、
１８：尖状部、
１９：第１連結板、
２０：第２連結板、
２１：係止フック、
２２：弾性片、
２３：窓孔、
２４：接続辺、
【図１】
2008255601.tif 000003
【図２】
2008255601.tif 000004
【図３】
2008255601.tif 000005
【図４】
2008255601.tif 000006
【図５】
2008255601.tif 000007
【図６】
2008255601.tif 000008
【図７】
2008255601.tif 000009
【図８】
2008255601.tif 000010
【図９】
2008255601.tif 000011
【図１０】
2008255601.tif 000012
【図１１】
2008255601.tif 000013
【図１２】
2008255601.tif 000014
【図１３】
2008255601.tif 000015
【図１４】
2008255601.tif 000016
【図１５】
2008255601.tif 000017
【図１６】
2008255601.tif 000018
【図１７】
2008255601.tif 000019
【図１８】
2008255601.tif 000020
【図１９】
2008255601.tif 000021